(57)【要約】      （修正有）【課題】スイッチ部材の弾性的変形が所定の範囲に制限されるカード用コネクタを提供する。【解決手段】ハウジングと、前記ハウジングに装着された複数のコンタクト２と、前記ハウジングに被覆し、前記ハウジングとの間にカードを収容するための収容空間が形成するシールドシェルと、前記ハウジングに保持され、前記収容空間の奥側に位置するスイッチ端子４とを含むカード用コネクタにおいて、前記シールドシェルには、前記スイッチ端子とともにカードを挿入するかどうかを検査するためのスイッチ部材からなるスイッチ弾性片５４２が一体に設けられ、前記ハウジングの収容空間の奥側の箇所には、前記スイッチ弾性片の弾性的な変形方向で前記スイッチ弾性片に当接可能になる弾性制限部が設けられる。【選択図】図６
0003150908.tif 000002
【実用新案登録請求の範囲】
【請求項１】
ハウジングと、
前記ハウジングに装着された複数のコンタクトと、
前記ハウジングに被覆し、前記ハウジングとの間にカードを収容するための収容空間が形成するシールドシェルと、
前記ハウジングに保持され、前記収容空間の奥側に位置するスイッチ端子と
を含むカード用コネクタにおいて、
前記シールドシェルには、前記スイッチ端子とともにカードを挿入するかどうかを検査するためのスイッチ部材からなるスイッチ弾性片が一体に設けられ、
前記ハウジングの収容空間の奥側での箇所には、前記スイッチ弾性片の弾性的な変形方向で前記スイッチ弾性片に当接可能になる弾性制限部が設けられることを特徴とするカード用コネクタ。
【請求項２】
前記スイッチ端子は、カードを挿入する際に、カードが押圧される突出部が収容空間に突出するように形成され、前記ハウジングには、カードを挿入しない際に前記スイッチ端子の突出部に当接する位置決め溝が形成されることを特徴とする請求項１に記載のカード用コネクタ。
【請求項３】
前記スイッチ弾性片は、前記シールドシェルの天板に対向するように配置される当接面が設けられ、前記スイッチ端子は、前記当接面にスライド可能に当接する当接部が形成されることを特徴とする請求項１に記載のカード用コネクタ。
【請求項４】
前記シールドシェルの収容空間の先端一側での箇所に、補強片が形成され、前記ハウジングに前記補強片に係合するための溝部が形成されることを特徴とする請求項1に記載のカード用コネクタ。
【考案の詳細な説明】
【技術分野】
【０００１】
本考案は、カード用コネクタに関し、特に、カードを挿入するかどうかを検査するためのスイッチ部材を有するカード用コネクタに関する。
【背景技術】
【０００２】
従来技術のカード用コネクタは特許文献１を参照すると、従来のカード用コネクタは、導電端子をインサート形成されるハウジングと、ハウジングに回動可動的に支持されるシェルとを含み、前記シェルにはカードを収容するための収容空間が形成され、カードが収容空間に挿入されたシェルを回動して、カードの導電パッドを前記導電端子に接続することを達成できる。
【先行技術文献】
【特許文献】
【０００３】
【特許文献１】中国実用新案公告第ＣＮ２７３１７５６Ｙ号明細書
【考案の概要】
【考案が解決しようとする課題】
【０００４】
前記従来のカード用コネクタのシェルは、収容空間の奥側に形成された当接片が設けられ、当接片によりカードを収容空間に挿入することをチェックできる。しかしながら、前記当接片が前記収容空間に突出するように配置されるので、カードの挿入する挿入力が過ぎると、前記当接片は変形する恐れがあり、更に、カード用コネクタの使用に影響する。そこで、この問題を解決するために、新型なカード用コネクタを開発することが必要である。
【０００５】
本考案は、スイッチ部材の弾性的変形が所定の範囲に制限されるカード用コネクタを提供することを目的とする。
【課題を解決するための手段】
【０００６】
本考案のカード用コネクタは、ハウジングと、前記ハウジングに装着された複数のコンタクトと、前記ハウジングを被覆し、前記ハウジングとの間にカードを収容するための収容空間が形成するシールドシェルと、前記ハウジングに保持され、前記収容空間の奥側に位置するスイッチ端子とを含むカード用コネクタにおいて、前記シールドシェルには、前記スイッチ端子とともにカードを挿入するかどうかを検査するためのスイッチ部材からなるスイッチ弾性片が一体に設けられ、前記ハウジングの収容空間の奥側の箇所には、前記スイッチ弾性片の弾性的な変形方向で前記スイッチ弾性片に当接可能になる弾性制限部が設けられることを特徴とする。
【考案の効果】
【０００７】
従来技術に比べ、本考案のカード用コネクタは以下の利点を有し、前記ハウジングにスイッチ弾性片の弾性的な変形方向で前記スイッチ弾性片に当接可能になる弾性制限部が設けられることによって、スイッチ部材の弾性的変形が所定の範囲に制限される。
【図面の簡単な説明】
【０００８】
【図１】本考案に係るカード用コネクタの組立斜視図である。
【図２】図１に示すカード用コネクタの組立斜視図であり、そのシールドシェルがカード用コネクタから外された斜視図である。
【図３】本考案に係るカード用コネクタの部分の分解斜視図である。
【図４】本考案のカード用コネクタの部分の斜視図であり、スイッチ端子がハウジングに組みつけられた斜視図である。
【図５】本考案に係るカード用コネクタの他の角度から見た分解斜視図である。
【図６】図１に示すカード用コネクタのほかの角度から見た分解斜視図である。
【考案を実施するための形態】
【０００９】
以下、図１〜図６を参照すると、本考案のカード用コネクタ１００の実施形態について、添付図面を参照して説明する。カード用コネクタ１００は、ハウジング１と、ハウジング１に装着された複数のコンタクト２と、カードをイジェクトするようにハウジング１に組み付けられるイジェクト機構３と、ハウジング１に取り付けられ、カードを挿入するかどうかを検査するためのスイッチ端子４と、ハウジング１を覆っているシールドシェル５と、を含む。
【００１０】
ハウジングは、絶縁材料からなり、基部１０と、基部１０の外周での左右側壁１１、１２、前後壁１３、１４とを含む。前記基部１０の頂面は枠体を呈してカードを収容するための嵌合面であり、中部には前記左右側壁１１、１２を連接するための端子保持体１０１が形成され、該端子保持体１０１にはコンタクト２を保持するための端子溝１０２が形成される。基部１０の先端には保持溝１０３が形成され、前記左側壁１１に連接する基部１０にはスライド溝１０４が形成され、前記後壁１４に連接する箇所には前記スイッチ端子４を収容するための固持溝１０５が形成される。
【００１１】
前記右側壁１２は、その頂面が前記基部１０と同一な平面に位置し、シールドシェル５に係合するための係合リブ１２１が形成され、前記左側壁１１にはシールドシェル５に係合するための係合凸状リブ１１１が形成されている。前壁１３には前記スライド溝１０４に対応する箇所にはシールドシェル５に係合するための溝部１３１が形成される。前記後壁１４には後向きへ延出する係合凸部１４１と前向きに延出する位置決め柱１４３が設けられ、前記スイッチ端子４に対応する箇所にはスイッチ端子４の弾性的な変形を制限するための弾性制限部１４２が形成される。
【００１２】
前記コンタクト２は、前記端子溝１０２に保持される連接部２２と、連接部２２の一端から延出するようにカード（図示せず）に接続するための接触部２３と、前記連接部２２の他端から延出するように回路基板（図示せず）に接続するための接続部２１と、を含み、前記連接部２２には前記端子溝１０２に干渉して係合する突刺２２１が設けられる。前記接触部２３にはアーム部２３１とカードに接触する頭部２３２とが形成される。自動化によりインサートして射出成形されるコンタクト２を櫛状に延在するための端子列連設片２４は、取付けた際に、前記端子列連設片２４は前記基部１０の保持溝１０３内に保持されることによって基部１０の先端の強さが増加する。
【００１３】
前記イジェクト機構３は連動部材３１と、弾性部材３２と、前記スライド溝１０４にスライド可能に移動できるスライド部材３３と、を含み、前記スライド部材３３には、連動部材３１をスライドする心臓状を呈するレール３３１が形成され、スライド部材３３の一端が弾性部材３２を保持するための位置決め柱３３２が設けられる。前記弾性部材３２は一端がスライド部材３３の位置決め柱３３２に位置決めされ、他端が前記後壁１４の位置決め柱１４３により位置決めされる。連動部材３１の一端がハウジングに保持され、他端が前記スライド部材３３のレール３３１に沿ってスライドしている。イジェクト機構３の工作原理は業界で熟知されているので、ここで、詳細に説明しない。
【００１４】
前記スイッチ端子４は、ハウジング１の固持溝１０５内に保持され、回路基板に接続する接続部４１と、カードに当接するための突出部４３と、前記突出部４３と接続部４１を連接する連接アーム４２と、突出部４３から後向きに延出する当接部４４と、を含む。前記ハウジング１の後壁には、前記突出部４３に対応するための位置決め溝１０６が形成され、カードが挿入されていない際に前記突出部４３が位置決め溝１０６に当接している。
【００１５】
前記シールドシェル５は、ハウジング１を覆い、天板５０と、天板５０の左右側から延出するように形成された左側板５１と、右側板５２とを含む。前記左右側板５１、５２にはハウジング１の左右側壁１１、１２の係合凸状リブ１１１、１２１に対応して係合するための係合溝５１１、５２１がそれぞれ形成されている。天板５０の先端部には前記溝部１３１に係合するための補強片５３１が形成され、天板５０の後端には係止溝５４１と、前記スイッチ端子４に接触・分離可能なスイッチ弾性片５４２と、を含む。前記スイッチ弾性片５４２は、前記天板５０下方に突出する被当接部５４３が設けられ、該被当接部５４３は前記当接部４４に当接するために、前記天板５０に対向する当接面５４４を有する。
【００１６】
組み付ける際に、まず、端子列連設片２４に櫛状に連接されたコンタクト２が前記ハウジング１の端子溝１０２内に装着され、取付けた際に、端子列連設片２４が前記保持溝１０３に保持されることによってハウジング１の強さが増加している。次に、イジェクト機構３の弾性部材３２が前記位置決め柱１４３、３３２により固持され、組み付けたイジェクト機構３がスライド溝１０４にスライド可能に保持される。最後に、シールドケース５がハウジング１を覆い、シールドシェル５の係合溝５１１、５２１がハウジング１の左右側壁１１、１２の係合凸状リブ１１１、１２１に係合し、係止溝５４１がハウジング１の先端の係合凸部１４１に係合し、前記補強片５３１がハウジング１の溝部１３１に係合することによって、ハウジング１とシールドシェル５の間にカードを収容するための収容空間（参照記号なし）が形成され、先端にカードを挿入するための挿入口（参照記号なし）が形成される。
【００１７】
組み上げたカード用コネクタ１００は、カードを挿入しない時に、前記スイッチ端子４とスイッチ弾性片５４２は当接せず、カードを挿入する時、カードの先端がスイッチ端子４の突出部４３に押圧してスイッチ端子４を収容空間の奥側へ弾性変形的に移動させるとともに、当接部４４がシールドシェル５のスイッチ弾性片５４２の当接面５４４に沿ってスライドして当接して、この時、スイッチ弾性片５４２がハウジング１の弾性制限部１４２に当接する。カードをイジェクト機構３によりイジェクトする際に、スイッチ弾性片５４２は自身の弾性により初期状態に回復し、スイッチ端子４は前記突出部４３が位置決め溝１０６に当接する状態に回復する。
【００１８】
カード用コネクタ１００は、スイッチ端子４とスイッチ弾性片５４２がスイッチ部材からなり、前記ハウジング１の位置決め溝１０６によってスイッチ端子４の弾性的な変形が所定の範囲に制限され、前記ハウジング１の弾性制限部１４２によって、シールドシェル５のスイッチ弾性片５４２の弾性的な変形も所定の範囲に制限される。即ち、前記スイッチ端子４とスイッチ弾性片５４２の弾性的な変形の方向に位置決め溝１０６及び弾性制限部１４２がそれぞれ配置されることによって、前記スイッチ端子４とスイッチ弾性片５４２の弾性的な変形の範囲が制限させられる。
【００１９】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００２０】
１００  カード用コネクタ
１  ハウジング
１０  基部
１０１  端子保持体
１０２  端子溝
１０３  保持溝
１０４  スライド溝
１０５  固持溝
１０６  位置決め溝
１１  左側壁
１１１，１２１  係合凸状リブ
１２  右側壁
１３  前壁
１３１  溝部
１４  後壁
１４１  係合凸部
１４２  弾性制限部
１４３  位置決め柱
２  コンタクト
２１  接続部
２２  連接部
２２１  突刺
２３  接触部
２３１  アーム部
２３２  頭部
２４  端子列連設片
３  イジェクト機構
３１  連動部材
３２  弾性部材
３３  スライド部材
３３１  レール
３３２  位置決め柱
４  スイッチ端子
４１  接続部
４２  連接アーム
４３  突出部
４４  当接部
５  シールドケース
５０  天板
５１  左側板
５１１、５２１  係合溝
５２  右側板
５３１  補強片
５４１  係止溝
５４２  スイッチ弾性片
５４３  被当接部
５４４  当接面
【図１】
0003150908.tif 000003
【図２】
0003150908.tif 000004
【図３】
0003150908.tif 000005
【図４】
0003150908.tif 000006
【図５】
0003150908.tif 000007
【図６】
0003150908.tif 000008